(57)【要約】【課題】従来のフィルム映像の記録、修復技術においては、映像中の色合いなどの劣化を検出することが難しい、という課題がある。また、例えば光学メディアなどの媒体にデジタル記録した場合、そのデジタル記録媒体自体の比較的短い寿命に合せて新しい媒体への移行やバックアップなどの対策を取る必要があり、その管理に手間がかかるという課題がある。【解決手段】以上の課題を解決するために、本発明は、５００年以上の長期保存が可能な映像記録用のフィルムに映像を記録することとし、さらにフィルムに記録された映像の色の経年劣化などを正確に修復するため、フィルム上にコマ領域と色見本領域を備えるフィルム、およびそのフィルムに映像を撮影する撮影装置、そして色見本領域に記録された色見本とその色見本の劣化前のＲＧＢ値などを利用してフィルムに記録された映像を修復する映像リマスター装置を提供する。【選択図】図２
2011138035.tif 000002
【特許請求の範囲】
【請求項１】
映像を記録する区画であるコマ領域と、
コマ領域に記録される映像中の色の劣化度合を測定するために備えられ、コマ領域の映像中の色と同等の劣化が期待され、かつ劣化前の色を特定可能な色見本を記録する色見本領域と、を有するフィルム。
【請求項２】
映像を記録する区画であるコマ領域と、
コマ領域に記録される映像中の色の劣化度合を測定するために備えられ、コマ領域の映像中の色と同等の劣化が期待され、かつ劣化前の色を特定可能な色見本が記録された色見本領域と、を有するフィルム。
【請求項３】
映像を記録した区画であるコマ領域と、
コマ領域に記録される映像中の色の劣化度合を測定するために備えられ、コマ領域の映像中の色と同等の劣化が期待され、かつ劣化前の色を特定可能な色見本が記録された色見本領域と、を有するフィルム。
【請求項４】
色見本には、劣化前の色を特定するためのＩＤが少なくとも二以上の色に対して付されている請求項１から３のいずれか一に記載のフィルム。
【請求項５】
色見本領域は、コマ領域ひとつに対してその近傍にひとつ備えられている請求項１から４のいずれか一に記載のフィルム。
【請求項６】
映像を記録する映像記録部と、
前記記録される映像中の色の劣化度合を測定するためのもので映像中の色と同等の劣化が期待され、かつ劣化前の色を特定可能な色見本を記録する色見本記録部と、
映像記録部が映像記録をしているときには色見本記録部を駆動するように制御する制御部と、
を有する撮影装置。
【請求項７】
請求項３に記載のフィルムのコマ領域に記録されている映像を映像デジタルデータとして取得する映像デジタルデータ取得部と、
前記映像デジタルデータを取得したフィルムの色見本領域から色見本を色見本デジタルデータとして取得する色見本デジタルデータ取得部と、
色見本デジタルデータの劣化前の色のデジタルデータである劣化前色見本デジタルデータを保持している劣化前色見本デジタルデータ保持部と、
色見本デジタルデータと、前記保持されているその色見本の劣化前の色のデジタルデータである劣化前色見本デジタルデータを利用して映像デジタルデータの色劣化度合を演算する色劣化度合演算部と、
演算により得られた色劣化度合を利用して、取得した映像デジタルデータを劣化前の色によって構成される映像デジタルデータであるリマスターデジタルデータに修復する修復部と、
を有する映像リマスター装置。
【請求項８】
映像を記録する映像記録ステップと、
前記記録される映像中の色の劣化度合を測定するためのもので映像中の色と同等の劣化が期待され、かつ劣化前の色を特定可能な色見本を記録する色見本記録ステップと、
映像記録ステップにて映像記録をしているときには色見本記録ステップを実行するように制御する制御ステップと、
を計算機に実行させる撮影装置の動作方法。
【請求項９】
請求項３に記載のフィルムのコマ領域に記録されている映像を映像デジタルデータとして取得する映像デジタルデータ取得ステップと、
前記映像デジタルデータを取得したフィルムの色見本領域から色見本を色見本デジタルデータとして取得する色見本デジタルデータ取得ステップと、
予め保持部に保持されている色見本デジタルデータの劣化前の色のデジタルデータである劣化前色見本デジタルデータと、前記取得した色見本デジタルデータと、を利用して映像デジタルデータの色劣化度合を演算する色劣化度合演算ステップと、
演算により得られた色劣化度合を利用して、取得した映像デジタルデータを劣化前の色によって構成される映像デジタルデータであるリマスターデジタルデータに修復する修復ステップと、
を計算機に実行させる映像リマスター装置の動作方法。
【発明の詳細な説明】
【技術分野】
【０００１】
本発明は、映像記録フィルムに記録された映像の経年劣化を復元するための技術に関する。
【背景技術】
【０００２】
現在、映像が記録されたフィルムに関して、たとえ温度や湿度の管理を的確に行って保存したとしても、経年劣化によって記録されたフィルム映像の品質が低下してしまう、という問題がある。
【０００３】
そこで、例えば記録されているフィルム映像をデジタル化し、経年劣化で生じた傷や汚れを例えば前後のフレームとの比較処理などで検出、あるいは人手による目視作業などで確認して取り除き、元の映像品質に復元することなどが行われている。
【０００４】
またデジタルデータは基本的に経年劣化することが無いため、復元した映像を光学メディアや磁気記録装置などにデジタル記録して保存することなども行われている。
【先行技術文献】
【特許文献】
【０００５】
【特許文献１】特表２００４−５０３７８９号公報
【発明の概要】
【発明が解決しようとする課題】
【０００６】
しかし上記従来の技術においては、例えば傷や汚れなどフレーム単位で異なって生じるような単発的なエラーはデジタル処理や目視などで検出することが可能である一方で、映像中の色合いなどの劣化（例えば色褪せなど）は検出することが難しい、という課題がある。そのため色合いの修復に際しては、現存する当時の資料や実際の撮影場所の風景などを参考にしたクリエイターなどの想像や経験則などに頼るしかなく、そのために正確な修復、復元が難しいのが現状である。
【０００７】
また、例えば光学メディアなどの媒体にデジタル記録した場合、そのデジタル記録媒体自体の寿命が１０〜１００年程度であるため（１０年でデータが全く読み出せなくなる可能性があるため）、１０年からのサイクルでデータの新しい媒体への移行やバックアップなどの対策を取る必要があり、その管理に非常に手間がかかるという課題がある。一方、映像記録フィルムは、経年劣化はするものの５００年以上の保存が可能である。
【課題を解決するための手段】
【０００８】
以上の課題を解決するために、本発明は、５００年以上の長期保存が可能な映像記録用のフィルムに映像を記録することとし、さらにフィルムに記録された映像の色の経年劣化を正確に修復するため以下のような構成を備えるフィルム、およびそのフィルムに映像を撮影する撮影装置、そしてフィルムの以下の構成を利用して、そこに記録された映像を修復する映像リマスター装置を提供する。
【０００９】
すなわち本発明のフィルムは、映像を記録する区画（コマ領域）に加えて、映像中の色見本となる色画像などを記録する色見本領域をさらに有することを特徴とする。また、本発明の撮影装置は、このようにフィルム上に設けられたコマ領域に映像を記録することに加えて、色見本領域に色見本も同時に記録することを特徴とする。
【００１０】
そして同一フィルム上に同じように記録された映像と色見本とは、経年劣化によって同様の変化をすると想定される。そこで経年劣化したフィルム映像の色を本発明の映像リマスター装置によって修復する際には、例えば映像中の色と色見本とを比較し、類似するものを特定する。
【００１１】
そして色見本に関しては、例えば「色見本１のＲＧＢ値は、２５５，２５５，２５５」といった具合に予め正確な（劣化前の）ＲＧＢ値などを記録保持しておくことで、その劣化前のＲＧＢ値をすぐに特定できるよう構成する。そしてその特定した色見本の劣化前と劣化後のＲＧＢ差分値、および劣化後の映像中の色のＲＧＢ値などを利用して映像中の当該色の劣化前のＲＧＢ値を算出し、映像の正確な色を修復、復元する、という具合である。
【発明の効果】
【００１２】
以上のように、本発明によって長期保存が可能な映像記録フィルムに映像を記録し保存した上で、映像記録フィルムが経年劣化し、そこに記録されたフィルム映像の色が変化した場合でも正確に修復することができるようになる。
【図面の簡単な説明】
【００１３】
【図１】実施例１のフィルムの一例を表す概略図
【図２】実施例１のフィルムにおける機能的な構成の一例を表す図
【図３】実施例１のフィルムの色見本領域に記録される色見本の一例を表す図
【図４】実施例１のフィルムの色見本領域に記録される色見本の、別の一例を表す図
【図５】実施例１のフィルムの色見本領域に記録される色見本の、さらに別の一例を表す図
【図６】実施例２のフィルムにおける構成の一例を表すための概念図
【図７】実施例３の撮影装置における機能ブロックの一例を表す図
【図８】実施例３の撮影装置におけるハードウェア構成の一例を表す図
【図９】実施例３の撮影装置における処理の流れの一例を表すフローチャート
【図１０】実施例４の映像リマスター装置による映像の色の修復について説明するための概念図
【図１１】実施例４の映像リマスター装置における機能ブロックの一例を表す図
【図１２】実施例４の映像リマスター装置の劣化前色見本デジタルデータ保持部に保持される劣化前色見本デジタルデータの一例を表す図
【図１３】実施例４の映像リマスター装置におけるハードウェア構成の一例を表す図
【図１４】実施例４の映像リマスター装置における処理の流れの一例を表すフローチャート
【発明を実施するための形態】
【００１４】
以下に、図を用いて本発明の実施の形態を説明する。なお、本発明はこれら実施の形態に何ら限定されるものではなく、その要旨を逸脱しない範囲において、種々なる態様で実施しうる。
【００１５】
なお、実施例１は、主に請求項１，２，３，４について説明する。また、実施例２は、主に請求項５について説明する。また、実施例３は、主に請求項６，８について説明する。
また、実施例４は、主に請求項７，９について説明する。
【００１６】
≪実施例１≫
<概要>
図１は、本実施例のフィルムの一例を表す概略図である。この図にあるように、本実施例のフィルムには、通常のフィルムと同様に、映像を記録するためのコマ領域αが設けられ、撮影装置で撮影された映像（コマ画像）がこのコマ領域に撮影記録されていく。そして、これらのコマ画像が例えば秒間２４コマなど所定の間隔で再生されることで動画映像を表示することができる、という具合である。
【００１７】
そして本実施例のフィルムの特徴点は、例えばフィルムの先頭部分や末尾部分、あるいはコマ領域近傍などに後述する色見本を記録するための「色見本領域β」をさらに有する点である。
【００１８】
さらに、上記映像が記録される「コマ領域」と、色見本が記録される「色見本領域」とは同じ感光剤、あるいは同様の感光反応を示す別種の感光剤が塗布されており、したがって両領域において画像が記録される条件はほぼ同じになっている。そのため本実施例のフィルムの「コマ領域」と「色見本領域」に、それぞれ映像（コマ画像）および色見本画像を記録した場合には、両者は同じような形でフィルム上にその色が焼き付けられることになり、このフィルムが経年劣化した際には両者の色はほぼ同じような変化となると想定される。
【００１９】
したがって、色見本に関して劣化前のＲＧＢ値などを特定できるようにしておけば、フィルムが経年劣化しても映像中の色と色見本とを比較し、その色見本の劣化前のＲＧＢ値を特定することで、フィルム映像の劣化前の色のＲＧＢ値を正確に特定し修復することができる。
【００２０】
なお、この修復に係る処理などに関しては実施例３などで詳述し、本実施例では上記映像と色見本を記録するフィルムの構成などについて主に説明する。
【００２１】
<機能的構成>
図２は、本実施例のフィルムにおける機能的な構成の一例を説明するための図である。この図にあるように、本実施例の「フィルム」（０２００）は、「コマ領域」（０２０１）と、「色見本領域」（０２０２）と、を備える。
【００２２】
「コマ領域」（０２０１）とは、フィルム上に設けられた映像を記録する区画をいい、例えば通常のフィルムと同様に、縦横比４：３や１６：９、あるいは２１：９などの所定サイズでフィルムを複数に区切って形成される領域が挙げられる。もちろん、フィルム上でその区切線などが視認可能に表記されている必要は無い。そして、このコマ領域には感光剤が塗布されており、撮影装置によって映像を連続して記録することができる。あるいは別のフィルムに記録された映像を転写などすることで、本実施例のフィルム上のコマ領域に映像を記録することができる。
【００２３】
また、このコマ領域の両サイドには、例えば図１に示すようなフィルム送り出し（巻き取り）用の穴が設けられており、ここにドラムリールの突起などを引っ掛けてフィルムのコマ領域を順次送り出す（巻き取る）ことができる。そして、撮像装置ではそのように送り出されたコマ領域に被写体の光を当てて映像を記録することができる。また映写装置では、そこに記録された映像に光を当てることでスクリーン上に映像を再生表示することができる、という具合である。
【００２４】
「色見本領域」とは、色見本を記録する領域であり、例えばフィルムの先頭部分や末尾部分あるいはコマ領域近傍などに設けられている。また色見本領域がフィルム先頭部分や末尾部分に設けられている場合には、フィルム上のこの色見本領域の両サイドにはコマ領域と異なりフィルム送り出し用の穴を設けないように構成しても良い。このように構成することで、前述の映像記録時に色見本が色見本領域に記録されないようにできる。また映像再生時に色見本がスクリーンに映写されないようにできる。
【００２５】
また、「色見本」とは、コマ領域に記録される映像中の色の劣化度合を測定するためにフィルム上に備えられた画像をいい、例えば図３（ａ）に示すようなＣＩＥ（国際照明委員会）表色系をはじめとする所定の表色系を表す色度図αや、図３（ｂ）に示すような所定の複数の色を示すブロックを並べたＳＭＴＰＥやＥＩＡなどのカラーバーβなどが挙げられる。また、基準色となる赤（Ｒ）緑（Ｇ）青（Ｂ）、あるいは白黒など少数の色で構成された見本画像であっても良い。
【００２６】
そして、上記色見本は、コマ領域の映像中の色と同等の劣化が期待されることを特徴とする。すなわち色見本が記録されるフィルム上の色見本領域は、前記コマ領域と同等の感光剤（全く同じ感光剤のほか、同様の感光反応を示す感光剤など）が塗布されている。また映像と同様の撮影／転写機材などで色見本の記録処理がなされるとさらに良い。そして、このような本実施例のフィルムを利用すれば、同じ条件で映像と色見本が同一フィルム上に記録されることになるので、フィルムの経年劣化による色の変化が両者に同じように現れることが期待される、という具合である。
【００２７】
そしてこの色見本領域に記録される色見本は、さらに劣化前の色を特定可能であることも特徴とする。具体的には、色見本が例えば前述の各表色系の色度表やカラーバーであれば、その表やバー中に配置される色の種類及び表内の配置位置は予め決まっている。そのため、たとえフィルムが経年劣化し色見本の色が変化した後でも、例えば図３中のブロックγの本来の色は「７５％の黄色」であるという具合に、その劣化前の色を正確に特定することができる。
【００２８】
また、色見本が上記のように規格などで予め定められたものでは無く、記録される映像に出現する色に合せた色見本である場合などには、劣化前の色を特定するためのＩＤが少なくとも二以上の色に対して付されていると良い。具体的には、図４（ａ）に示すように各色見本にＩＤを付し、また、図４（ｂ）に示すような、そのＩＤで識別される色の劣化前の色度値などを示すリファレンスデータ（あるいはメモノート）を作成して別途管理するよう構成する、という具合である。このように構成することで、劣化した色見本の本来のＲＧＢ値などを、両者を紐付けるＩＤをキーとして特定することができる。
【００２９】
あるいは、図５に示すように、例えば色見本画像自体やその近傍に、当該色のＲＧＢ値などを記載しておき、色見本が劣化した後でも容易にその本来の色を特定できるよう構成しても良い。
【００３０】
なお、上記の本実施例では映像および色見本が記録されていない状態のフィルムについて説明したが、それ以外の実施例としては、フィルム上の色見本領域に予め色見本が記録されていても良い。もちろん、この場合でも色見本領域はコマ領域と同様の感光剤が塗布されており、それによって後からコマ領域に記録される映像と、この予め記録されている色見本とがフィルムの経年劣化に応じて同様に変化することが期待できる。
【００３１】
あるいは、本実施例のフィルム上のコマ領域と色見本領域には、それぞれに映像と色見本とが予め記録されていても良い。
【００３２】
<効果の簡単な説明>
以上のように、本実施例のフィルムはコマ領域に加えて色見本を記録する領域を有しているため、それを利用して、同一フィルム上に映像および色見本を同じように記録することができる。
【００３３】
そしてそれによりフィルムが経年劣化した際には両者の色が同様に変化していくと想定される。したがって、例えば色見本をＣＩＥ表色系などで示される色度図としたり図４に示すようなＩＤとの紐付けによる参照用のデータを別途管理したりして映像中の色に対応した色見本の劣化前の色を特定することで、その映像中の本来の色も容易に推定することができる。
【００３４】
≪実施例２≫
<概要>
本実施例は、上記実施例を基本として以下の構成をさらに備えることを特徴とするフィルムである。すなわちフィルム上に記録される映像は連続する複数のコマ画像で構成されているため、フィルム上にはそれに応じて複数のコマ領域が設けられている。そこで本実施例では、その複数のコマ領域の1つ1つに対応する形でその近傍に色見本領域を設けることを特徴とする。
【００３５】
そして、フィルム上の近接領域に記録された映像（コマ画像）と色見本とは、経年劣化によって（近接していない場合と比較して）より同じような変化を示すと想定される。したがって上記構成の本実施例によって、映像中の色の本来の色度値などをより正確に特定することができるようになる。
【００３６】
<機能的構成>
図６は、本実施例のフィルムにおける構成の一例を表すための概念図である。この図にあるように、本実施例の「フィルム」（０６００）は、上記実施例を基本として、「コマ領域」（０６０１：０６０１α〜０６０１β）と、「色見本領域」（０６０２：０６０２α〜０６０２β）と、を備える。なお、これらコマ領域と色見本領域についての説明は、上記実施例にて記載済みであるので省略する。
【００３７】
そして本実施例のフィルムの特徴点は、「色見本領域」（０６０２）が、コマ領域（０６０１）ひとつに対してその近傍にひとつ備えられている点である。具体的には、例えば図６に示すように、各コマ領域の上下ラインで区切られるフィルム上の区画それぞれの左サイド又は右サイドに色見本領域を設ける、という具合である。
【００３８】
なお、本実施例のフィルムが再生用のいわゆる「ポジフィルム」などである場合、そのポジフィルムのコマ領域に光が照射されることでコマ領域に記録された映像がスクリーンに投影され再生表示されることになる。
【００３９】
そして本実施例ではコマ領域の近傍に色見本領域が配置されるため、この色見本領域にも映写用の光が当たることになる。そこで本実施例のフィルムでは、色見本がスクリーン上に投影されないよう構成されることが望ましい。例えば、色見本領域の裏面に遮光剤を塗布したり、あるいは（色の変化が同じとなるよう）同条件下での記録が可能であれば、コマ領域のフィルム素材とは別の遮光素材を色見本領域とし、両素材で一のフィルムを形成したりすると良い。
【００４０】
<効果の簡単な説明>
以上のように本実施例のフィルムでは、コマ領域と色見本領域が近接して設けられているため、それぞれの領域に記録された映像と色見本は、経年劣化によって（近接していない場合と比較して）より同じような色変化を示すと想定される。したがって、各コマ領域に対応する色見本の劣化を手がかりとして、より正確に映像の本来の色度値などを特定することができるようになる。
【００４１】
≪実施例３≫
<概要>
本実施例は、上記実施例で説明したようなコマ領域に映像が記録され、色見本領域に色見本が記録されたフィルムを作成するための撮影装置である。そして、特にフィルム上への映像の記録処理と色見本の記録処理を同時に行うよう構成されていることを特徴とする撮影装置である。つまり本実施例の撮影装置では、映像と色見本とのフィルムへの記録開始タイミングを同じになるよう制御することで、フィルムの経年劣化による両者の色変化をさらに同じようなものとする効果が期待できる。
【００４２】
<機能的構成>
図７は、本実施例の撮影装置における機能ブロックの一例を表す図である。なお、以下に記載する本撮影装置や、後述する映像リマスター装置の機能ブロックはハードウェア及びソフトウェアの組み合わせとして実現され得る。具体的には、コンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションなどが挙げられる。
【００４３】
そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは本撮影装置における各機能ブロックは専用ハードウェアによって実現されてもよい。
【００４４】
また、これらの発明は装置として実現できるのみでなく方法としても実現可能である。また、このような発明の一部をソフトウェアとして構成することができる。さらに、そのようなソフトウェアをコンピュータに実行させるために用いるソフトウェア製品、及び同製品を固定した記録媒体も、当然にこの発明の技術的な範囲に含まれる（本明細書の全体を通じて同様である）。
【００４５】
そしてこの図７にあるように、本実施例の「撮影装置」（０７００）は、「映像記録部」（０７０１）と、「色見本記録部」（０７０２）と、「制御部」（０７０３）と、を有する。
【００４６】
「映像記録部」（０７０１）は、映像を記録する機能を有し、フィルムに被写体の光を当てるためのレンズおよびその焦点調整用の駆動機構、シャッター機構、またフィルムのコマ領域の送り出し（巻き取り）機構などによって実現することができる。具体的には撮影者からの操作入力などに応じて、シャッター機構を開放し、レンズで集光された被写体の光をフィルム上の感光剤に当て映像を記録する、という具合である。
【００４７】
「色見本記録部」（０７０２）は、色見本を記録する機能を有し、例えば色見本画像やその色見本画像を保持する記憶装置、また色見本画像の光をフィルム上の感光剤に当てるための照明機構やレンズなどによって実現することができる。なお、「色見本」は、上記実施例で記載したように、前記記録される映像中の色の劣化度合を測定するためのもので映像中の色と同等の劣化が期待され、かつ劣化前の色を特定可能な見本画像などをいい、その詳細な説明は省略する。
【００４８】
「制御部」（０７０３）は、映像記録部が映像記録をしているときには色見本記録部を駆動するように制御する機能を有し、例えばＣＰＵや主メモリ、制御プログラム、あるいは専用の制御回路などによって実現することができる。
【００４９】
具体的には、例えば、映像記録部における前述のシャッター機構を開放するための操作入力を受付けた場合に、この制御部は、そのシャッター機構の開放動作の制御に加えて色見本記録部における前述の照明機構なども同時に動作させるよう制御する。このようにしてシャッターが開閉されフィルム上への映像記録が開始された同じタイミングで、色見本画像に光が照射されフィルムにその光を当てて色見本をフィルム上に記録することができる、という具合である。
【００５０】
なお、もちろん映像記録部によって映像が記録されるフィルム上の領域と、色見本記録部によって色見本が記録されるフィルム上の領域は、上記実施例のフィルムで記載したようなコマ領域および色見本領域であると良い。
【００５１】
このようにして、本実施例の撮影装置によって、映像と色見本をそれぞれの領域に記録したフィルムを簡単に作成することができる。また、本実施例の撮影装置においては、映像と色見本の記録が同時に処理されるよう制御するため、フィルム上に記録された両者の色の経年劣化の開始タイミングが同じようになる効果が期待できる。
【００５２】
<ハードウェア構成>
図８は、上記機能的な各構成要件をハードウェアとして実現した際の、撮影装置における構成の一例を表す概略図である。この図を利用して映像と色見本の動機記録処理におけるそれぞれのハードウェア構成部の働きについて説明する。
【００５３】
この図にあるように、撮影装置は、映像記録部である「シャッター機構」（０８０１）、「レンズ」（０８０２）および図示しないその焦点調整用機構などを有する。また、色見本記録部である「色見本画像」（０８０３）、「照明機構」（０８０４）、「色見本用レンズ」（０８０５）なども有する。また、制御部を含む各種駆動機構を制御するための「制御用マイコン」（０８０６）や、撮影者からの操作入力を受付ける各種操作用の「操作ボタン」（０８０７）、そして「フィルム」（０８０８）および図示しないフィルムの送り出し機構なども有している。また、制御用マイコンと各駆動機構の制御回路や操作ボタンはバス線などによって接続され、制御信号や命令信号などの送受信が可能に構成されている。
【００５４】
ここで、撮影者が撮影開始の「操作ボタン」を押下などすると、その操作信号を受信した「制御用マイコン」がシャッター機構の開放制御信号を生成し、シャッター機構の駆動制御回路に対して出力する。また、それとともに照明機構の点灯制御信号も生成し、照明機構のスイッチ回路に対して出力する。
【００５５】
すると、開放制御信号に従った駆動制御回路の制御によって「シャッター」が開放され、「フィルム」上のコマ領域に外部被写体の光が「レンズ」を介して取り込まれ記録される。またそれとともに、点灯制御信号に従ったスイッチ回路の制御によって「照明」が点灯し「色見本画像」に光が当てられ、その光が「色見本用レンズ」を介して「フィルム」上の色見本領域に照射、記録される。
【００５６】
このようにして、映像と色見本のフィルム上への記録が同時に処理されるよう制御する、という具合である。
【００５７】
<処理の流れ>
図９は、本実施例の撮影装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【００５８】
この図にあるように、まず、映像記録の開始操作などを受付ける（ステップＳ０９０１）と、フィルム上への映像の記録を開始し（ステップＳ０９０２）、また、それとともに色見本のフィルム上への記録も合せて開始するように制御する（ステップＳ０９０３）。
【００５９】
<効果の簡単な説明>
以上のように、本実施例の撮影装置によって、映像と色見本をそれぞれの領域に記録したフィルムを簡単に作成することができる。また、本実施例の撮影装置においては、映像と色見本の記録が同時に処理されるよう制御するため、フィルム上に記録された両者の変化の開始タイミングが同じようになる効果が期待できる。
【００６０】
≪実施例４≫
<概要>
本実施例は、上記記載したように映像と色見本とが合せて記録されているフィルムに関して、経年劣化によって映像の色が褪せるなど変化した場合に、色見本を参照して映像の色を本来の色に修復する機能を備える映像リマスター装置である。
【００６１】
図１０は、本実施例の映像リマスター装置による映像の色の修復について説明するための概念図である。この図１０（ａ）にあるように、本実施例の映像リマスター装置は、まず上記実施例のフィルム上のコマ領域と色見本領域にそれぞれ記録されている映像および色見本を、例えば高分解能を有するスキャナ装置などを利用してＲＧＢ値などで示されるデジタル形式で読み取る。
【００６２】
つづいて、図１０（ｂ）にあるように、映像中のある画素αのＲＧＢ値に関して、色見本のＲＧＢ値との比較を行い、類似する色見本５を特定する。そして、図１０（ｃ）にあるように、前記特定された色見本５の劣化前ＲＧＢ値などを示す参照用データを、例えば自身の記憶装置から読み出し、つづいて劣化前と後の色見本のＲＧＢ差分値などを算出する。そして図１０（ｄ）にあるように、前記算出した差分値を補正値として劣化後の画素αのＲＧＢ値を補正し、画素αの本来のＲＧＢ値を算出する、という具合である。
【００６３】
このようにフィルムが経年劣化などしてそのフィルム上の映像の色が変化した場合でも、本実施例の映像リマスター装置によって簡単に本来の色に修復することができる。
【００６４】
<機能的構成>
図１１は、本実施例の映像リマスター装置における機能ブロックの一例を表す図である。この図にあるように、本実施例の「映像リマスター装置」（１１００）は、「映像デジタルデータ取得部」（１１０１）と、「色見本デジタルデータ取得部」（１１０２）と、「劣化前色見本デジタルデータ保持部」（１１０３）と、「色劣化度合演算部」（１１０４）と、「修復部」（１１０５）と、を有する。
【００６５】
「映像デジタルデータ取得部」（１１０１）は、フィルムのコマ領域に記録されている映像を映像デジタルデータとして取得する機能を有し、例えばスキャナなどのアナログ画像の読取装置で実現することができる。
【００６６】
具体的に、例えばスキャナはＣＭＯＳやＣＣＤなどの光電変換素子を格子状に配置したイメージセンサと、Ａ／Ｄ（アナログ／デジタル）変換回路などを備える。そしてフィルムのコマ領域に記録されている映像からの光を各光電変換素子で電気信号に変換し、その電気信号をＡ／Ｄ変換回路にてＲＧＢ値などに変換する、という具合である。
【００６７】
このようにして、フィルム上のアナログ映像を、画素１（光電変換素子１）のＲＧＢ値が「１９２，５４，１２８」、画素２のＲＧＢ値が「１８８，１５，８４」、・・・という具合のデジタルデータとして取得することができる。
【００６８】
なお、上記映像デジタルデータをはじめとする色のデジタルデータはＲＧＢ値に限定されず、例えばＣＭＹ値（シアン、マゼンダ、イエローの値）やＹＵＶ値（輝度値と２種類の色差値）などであっても良い。
【００６９】
「色見本デジタルデータ取得部」（１１０２）は、前記映像デジタルデータを取得したフィルムの色見本領域から色見本を色見本デジタルデータとして取得する機能を有し、前記映像デジタルデータ取得部と同様、例えばスキャナなどで実現することができる。もちろん、映像デジタルデータ取得部と物理的に同一のスキャナなどでこの色見本デジタルデータ取得部が構成されても良い。
【００７０】
また、実施例２で記載したように、フィルム上の複数のコマ領域の1つ1つに対応する形で、その近傍に色見本領域が設けられている場合は、その近接関係に応じてコマ画像に対応する色見本を取得し、その対応関係を示す情報を生成、管理するよう構成すると良い。
【００７１】
そして、この色見本デジタルデータ取得部でも、上記同様の処理によって、フィルム上の色見本１のＲＧＢ値が「２４２，２１６，２５４」、・・・という具合に色見本のデジタルデータを取得することができる。
【００７２】
「劣化前色見本デジタルデータ保持部」（１１０３）は、劣化前色見本デジタルデータを保持する機能を有し、例えばＨＤＤやフラッシュメモリ、光学記録メディアとその読取装置などの各種記録装置によって実現することができる。
【００７３】
「劣化前色見本デジタルデータ」とは、色見本デジタルデータの劣化前の色のデジタルデータをいい、例えば、図１２に示すようなテーブルデータが挙げられる。そして、このようなテーブルデータを参照することで、例えばＩＤ「００１」の色見本の劣化前のＲＧＢ値が「２５５，２５５，２５５」であることを簡単に取得することができる、という具合である。
【００７４】
また、この劣化前色見本デジタルデータの取得に関しては、フィルムに色見本が記録された時点でスキャナなどで予めそのＲＧＢ値などを読取っておく方法や、あるいは色見本が前述のＣＩＥ表色系の色度図などであれば、その表色系で定義されているＲＧＢ値などを取得する方法などが挙げられる。
【００７５】
「色劣化度合演算部」（１１０４）は、色見本デジタルデータと、前記保持されているその色見本の劣化前の色のデジタルデータである劣化前色見本デジタルデータを利用して映像デジタルデータの色劣化度合を演算する機能を有し、例えばＣＰＵや主メモリ、色劣化度合演算プログラムなどで実現することができる。
【００７６】
具体的に、例えばまず映像デジタルデータと色見本デジタルデータとを比較し、映像デジタルデータの各画素について、例えば画素１（１９２，５４，１２８）に近似する色見本はＸ（１８８，６３，１０２）という具合に、そのデジタルデータ値が近似する色見本を照合、特定する。
【００７７】
つづいて、特定された色見本Ｘについて、劣化前色見本デジタルデータ保持部に保持されている劣化前のＲＧＢ値、例えば「１９６，６０，９６」を取得し、色見本Ｘの劣化後と劣化前の差分値を算出する（上記例であれば、差分値「＋８，−３，−６」）。そして算出された差分値を画素１に関する色劣化度合とし、上記差分値の算出を映像中の全画素に関して実行する、という具合である。
【００７８】
また、色見本の見本数が、例えば「赤（２５５，０，０）、緑（０，１２８，０）、青（０，０，２５５）」の３色という具合に少ない場合には、前述の映像デジタルデータと色見本デジタルデータとの照合処理を省き、色見本デジタルデータと対応する劣化前色見本デジタルデータの差分値を算出しても良い。そして、例えば色見本の赤のＲ差分値を映像のＲ値の劣化度合とする、という具合である。
【００７９】
あるいは、色見本領域をフィルムの先頭や末尾部分などに広く設け、そこに映像中に使用される色が全てカバーされるだけの多数の色見本を記録している場合には、前述の劣化前と劣化後の色見本データの差分値の算出処理を省き、映像デジタルデータと色見本デジタルデータとの照合処理のみを行っても良い。その場合、照合処理で特定された色見本に対応する劣化前色見本デジタルデータのＲＧＢ値などを色劣化度合として取得する、という具合である。
【００８０】
「修復部」（１１０５）は、演算により得られた色劣化度合いを利用して、取得した映像デジタルデータを劣化前の色によって構成される映像デジタルデータであるリマスターデジタルデータに修復する機能を有し、例えばＣＰＵや主メモリ、修復プログラムなどで実現することができる。
【００８１】
具体的には前記色劣化度合算出部にて、例えば前述のように映像中の画素１と、画素１に近似する色見本ＸのＲＧＢ差分値「＋８，−３，−６」を色劣化度合として算出した場合、この差分値を画素１のＲＧＢ値に対して加算（減算）することで、例えば画素１のＲＧＢ値を「２００，５１，１２２」に修復する、という具合である。
【００８２】
また色見本が赤緑青の３色のみで、前記色劣化度合算出部にて、例えば赤の色見本の劣化前と劣化後のＲＧＢ差分値「＋８」、同様に緑の差分値「−３」、青の差分値「−６」を色劣化度合として算出した場合、この各ＲＧＢ差分値を画素１のＲＧＢ値に対して加算（減算）することで、例えば画素１のＲＧＢ値を「２００，５１，１２２」に修復しても良い。
【００８３】
また、映像中で使用される色が全てカバーされるだけの多数の色見本が記録され、前記色劣化度合算出部にて、例えば画素１に近似する色見本Ｘの劣化前色見本デジタルデータ、例えばそのＲＧＢ値「２００，５１，１２２」を色劣化度合として算出した場合、画素１のＲＧＢ値をこの値に置き換えることで修復しても良い。
【００８４】
そして、上記のような修復処理を各画素に関しても同様に行い、それによって経年劣化などで色が変化した映像であっても、容易に劣化前の本来のＲＧＢ値などに修復することができる。また、このように修復されたＲＧＢ値に基づいてアナログ映像データを生成し、それをフィルムに記録するよう構成しても良い。
【００８５】
<ハードウェア構成>
図１３は、上記機能的な各構成要件をハードウェアとして実現した際の、映像リマスター装置における構成の一例を表す概略図である。この図を利用して映像デジタルデータの修復処理におけるそれぞれのハードウェア構成部の働きについて説明する。
【００８６】
この図にあるように、本実施例の映像リマスター装置は、色劣化度合演算部および修復部であり、またその他の各種演算処理を行う「ＣＰＵ」（１３０１）と「主メモリ」（１３０２）を有している。また、映像デジタルデータ取得部および色見本デジタルデータ取得部である「スキャナ」（１３０３）や、劣化前色見本デジタルデータ保持部である「フラッシュメモリ」（１３０４）なども有している。そして、それらが「システムバス」などのデータ通信経路によって相互に接続され、情報の送受信や処理を行う。
【００８７】
また、「主メモリ」にはプログラムが読み出され、「ＣＰＵ」は読み出された当該プログラムを参照し、プログラムで示される手順に従い各種演算処理を実行する。また、この「主メモリ」や「フラッシュメモリ」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００８８】
ここで、「スキャナ」を利用してフィルムのコマ領域に記録されたアナログ映像のデジタルデータ、例えば各画素のＲＧＢ値などを取得し、「主メモリ」や「フラッシュメモリ」のアドレス１、・・・などに格納する。つづいて、同じフィルム上の色見本領域に記録された各色見本も同様に「スキャナ」にて読取り、その取得したＲＧＢ値などを「主メモリ」や「フラッシュメモリ」のアドレス２、・・・などに格納する。
【００８９】
つづいて「ＣＰＵ」は色劣化度合演算プログラムを解釈し、その解釈結果にしたがって色劣化度合の演算処理を行う。具体的には、例えば前記メモリに格納されている映像中のある画素１のＲＧＢ値と、色見本のＲＧＢ値との各値の差分値演算を行う。そしてその差分値の絶対値合計が最も小さい値となる色見本Ｘを、画素１に対応する色見本として特定し、その画素と色見本の対応関係を示す情報を「主メモリ」のアドレス３に格納する。また、その他の画素についても同様の処理によって対応する色見本を特定し、その対応関係を示す情報を「主メモリ」に格納する。
【００９０】
なお、前述の通り、色見本の見本数が例えば赤緑青の３色という具合に少ない場合には、上記のような画素と色見本の対応関係の特定処理を省いても良い。
【００９１】
そして「ＣＰＵ」は、色劣化度合演算プログラムの解釈結果にしたがって、さらに特定された例えば色見本の識別ＩＤ「Ｘ」をキーとして、「フラッシュメモリ」に保持されている劣化前色見本デジタルデータである図１２に示すようなテーブルデータの検索処理を実行する。そして「ＣＰＵ」は、「主メモリ」の２などに格納されている色見本Ｘの劣化後のＲＧＢ値と、検索の結果取得された劣化前の色見本ＸのＲＧＢ値の減算処理を行う。そして、その演算値を色劣化度合として「主メモリ」のアドレス４に格納する。
【００９２】
なお、前述の通り、色見本の見本数が映像中の全色をカバーできる程度に多い場合には、上記のような画素と色見本の劣化前と劣化後のＲＧＢ差分値などの算出処理を省いても良い。その場合、特定した画素１に対応する色見本Ｘの劣化前のＲＧＢ値を、画素１の色劣化度合として「主メモリ」のアドレス４に格納すると良い。
【００９３】
つづいて「ＣＰＵ」は修復プログラムを解釈し、その解釈結果にしたがって「主メモリ」のアドレス３に格納されている画素と色見本の対応関係（画素１に対応する色見本はＸなど）を示す情報から、画素１を修復する際に利用する色劣化度合として色見本Ｘの色劣化度合を「主メモリ」のアドレス４から取得する。そして、「ＣＰＵ」は、その色劣化度合で示されるＲＧＢ各値の修復値で「主メモリ」のアドレス１などに格納されている画素１のＲＧＢ値を減算／加算する演算処理を行う。そして、その算出値を画素１の劣化前の本来の色を示すデジタルデータとして、「主メモリ」のアドレス５に格納する。また、その他の画素に関しても「ＣＰＵ」が上記同様の加算／減算処理を行い、各画素の劣化前の色のデジタルデータを算出してリマスターデジタルデータを生成する、という具合である。
【００９４】
なお、映像中で使用される色が全てカバーされるだけの多数の色見本が記録されている場合、「ＣＰＵ」は色劣化度合を修復値とする加算／減算処理ではなく、画素１のＲＧＢ値をこの色劣化度合の値に置き換える処理を行うよう構成すると良い。
【００９５】
<処理の流れ>
図１４は、本実施例の映像リマスター装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【００９６】
この図にあるように、まず、上記実施例のようにコマ領域に映像が記録され、色見本領域に色見本が記録されているフィルムを例えばスキャナなどで読取り、そのコマ領域に記録されている映像を映像デジタルデータとして取得する（ステップＳ１４０１）。つづいて前記映像デジタルデータを取得したフィルムの色見本領域から色見本を、同様にスキャナなどで読取り色見本デジタルデータとして取得する（ステップＳ１４０２）。
【００９７】
そして、予めフラッシュメモリなどの保持部に保持されている劣化前色見本デジタルデータと、前記取得した色見本デジタルデータと、を利用して映像デジタルデータの色劣化度合を演算する（ステップＳ１４０３）。具体的には、例えば前述の映像デジタルデータと色見本デジタルデータの照合処理や、色見本デジタルデータと劣化前色見本デジタルデータの差分値算出処理などを適宜行い、その差分値や劣化前色見本デジタルデータそのものの値などを色劣化度合として演算する処理などが挙げられる。
【００９８】
そして、その演算により得られた色劣化度合を利用して、取得した映像デジタルデータを劣化前の色によって構成されるリマスターデジタルデータに修復する（ステップＳ１４０４）。
【００９９】
<効果の簡単な説明>
以上のように、本実施例の映像リマスター装置によって、映像と色見本をそれぞれの領域に記録したフィルムを簡単に作成することができる。また、本実施例の撮影装置においては、映像と色見本の記録が同時に処理されるよう制御するため、フィルム上に記録された両者の変化の開始タイミングが同じようになる効果が期待できる。
【符号の説明】
【０１００】
０２００  フィルム
０２０１  コマ領域
０２０２  色見本領域
０７００  撮影装置
０７０１  映像記録部
０７０２  色見本記録部
０７０３  制御部
１１００  映像リマスター装置
１１０１  映像デジタルデータ取得部
１１０２  色見本デジタルデータ取得部
１１０３  劣化前色見本デジタルデータ保持部
１１０４  色劣化度合演算部
１１０５  修復部
【図１】
2011138035.tif 000003
【図２】
2011138035.tif 000004
【図３】
2011138035.tif 000005
【図４】
2011138035.tif 000006
【図５】
2011138035.tif 000007
【図６】
2011138035.tif 000008
【図７】
2011138035.tif 000009
【図８】
2011138035.tif 000010
【図９】
2011138035.tif 000011
【図１０】
2011138035.tif 000012
【図１１】
2011138035.tif 000013
【図１２】
2011138035.tif 000014
【図１３】
2011138035.tif 000015
【図１４】
2011138035.tif 000016